(57)【要約】      （修正有）【課題】過度の撓みを防止できる導電端子を備え、さらに信号の安定した伝送が保証される電気コネクタを提供する。【解決手段】絶縁本体１０と導電端子２０とを含み、前記絶縁本体は、基体１１と該基体から前方に向けて延伸されて端子収容溝１１１が設けられる舌板１２とを備え、前記導電端子は、前記端子収容溝内に装着され、相手コネクタの導電端子と対接できる接触部２１を備える。前記導電端子の接触部に接触凸部２１１が形成され、前記舌板に前記接触凸部に係合できる凹部が形成される。こうして、相手コネクタが斜めに挿入される際、まず前記舌板の前端に接触することで相手コネクタを挿入する作用力が分散され、導電端子に直ちに作用することで過度の撓みを防止でき、信号の安定した伝送が保証される。【選択図】図１
0003109493.tif 000002
【実用新案登録請求の範囲】
【請求項１】
基体と該基体から前方に向けて延伸されて端子収容溝が設けられる舌板とを備える絶縁本体と、
前記端子収容溝内に装着され、相手コネクタの導電端子と対接できる接触部を備える導電端子と、
を含み、
前記導電端子の接触部に接触凸部が形成され、前記舌板に前記接触凸部に係合できる凹部が形成されることを特徴とする電気コネクタ。
【請求項２】
前記端子収容溝は、前記舌板の相対した一対の壁面を貫通し、前記導電端子の相対した一対の表面が前記舌板の一対の壁面に現れることを特徴とする請求項１記載の電気コネクタ。
【請求項３】
前記絶縁本体は、前記基体の下方に位置して、台板と、該台板及び前記基体を連接している連接板とを備えるサポートを含み、前記台板が前記舌板と同じ方向に向けて平行に延伸されることを特徴とする請求項１記載の電気コネクタ。
【請求項４】
前記サポートの台板は、下表面に定位柱と踏み台とがそれぞれ下方に向けて延出されることを特徴とする請求項３記載の電気コネクタ。
【請求項５】
前記絶縁本体の外面は、上壁と下壁とを備えるシールドケースで包囲され、前記サポートの台板が前記シールドケースの下壁に現れていることを特徴とする請求項３記載の電気コネクタ。
【請求項６】
前記絶縁本体の基体の上表面に固着溝が形成され、前記シールドケースの上壁には前記固着溝に係合できる係合片が設けられることを特徴とする請求項５記載の電気コネクタ。
【請求項７】
前記サポートの台板の下表面の左右縁には、スロットがそれぞれ設けられ、前記シールドケースの左右縁に複数の取付片がそれぞれ形成され、前記複数の取付片のうちの一つが前記スロットにそれぞれ曲がって係合できることを特徴とする請求項５記載の電気コネクタ。
【請求項８】
前記シールドケースの上下壁には、相手コネクタに係合できる弾性片が設けられることを特徴とする請求項５記載の電気コネクタ。
【請求項９】
前記サポートの台板には、先端縁のほぼ中央で所定長さの切欠き部が貫通して形成され、前記シールドケースの下壁には、前記切欠き部に挟み込まれる固定脚が延伸されることを特徴とする請求項５記載の電気コネクタ。
【請求項１０】
少なくとも一つの前記導電端子は、前記舌板の外側に位置し、該舌板と平行に隔てられて延伸されることを特徴とする請求項１記載の電気コネクタ。
【考案の詳細な説明】
【技術分野】
【０００１】
本考案は電気コネクタに関し、特に導電端子が撓んで変形することを防止できる電気コネクタに関するものである。
【背景技術】
【０００２】
特許文献１に記載された従来の電気コネクタは、大きなパワーを得るために設置される複数の導電端子と該導電端子を収容する絶縁本体とを含む。だが、前記複数の導電端子が前記絶縁本体内に密集して配列され、各導電端子の間に固着部材がないので、導電端子の位置決めが確実でない。こうして、相手コネクタを挿入する際に、相手コネクタが少し斜めに挿入されるだけでも、前記導電端子が挿入荷重に押されると、該等導電端子は撓みまたは破壊等する恐れがあることで、相手コネクタのコンタクトが正常に接触できない恐れがあった。
【０００３】
また、特許文献２の図２に記載された従来の電気コネクタは、絶縁本体と該絶縁本体内に装着される導電端子と前記絶縁本体の外側を包囲するシールドケースとを含む。前記導電端子は相手コネクタのコンタクトに接触できる接触部を有し、該接触部の先端に凹部が設けられ、前記絶縁本体に前記凹部に係合する凸部が形成されており、前記凹部が該凸部に係合することにより、前記導電端子が該絶縁本体内に装着させられ、対接する際に、前記導電端子が外側に斜めになることを防止できる。
【０００４】
しかしながら、前記導電端子の接触部が前記絶縁本体の凸部に部分的に表れることで、相手コネクタと対接する際に、相手コネクタのコンタクトが該導電端子の接触部の先端に接触することで、相手コネクタが少し斜めに挿入されるだけでも、上下方向の挿入力が作用した場合には、該導電端子は過度に撓み、破損等するおそれがあるといった問題もあった。
【０００５】
そこで、従来の技術の不足点を改善した電気コネクタを開発する必要がある。
【特許文献１】米国特許文献第５，１５８，４７１号明細書
【特許文献２】中国実用新案公告第２４４９３８３号明細書
【考案の開示】
【考案が解決しようとする課題】
【０００６】
本考案は、過度の撓みを防止できる導電端子を備え、さらに信号の安定した伝送が保証される電気コネクタを提供することを目的とする。
【課題を解決するための手段】
【０００７】
本考案の電気コネクタは、絶縁本体と導電端子とを含み、前記絶縁本体は、基体と該基体から前方に向けて延伸されて端子収容溝が設けられる舌板とを備え、前記導電端子は、前記端子収容溝内に装着され、相手コネクタの導電端子と対接できる接触部を備える。前記導電端子の接触部に接触凸部が形成され、前記舌板に前記接触凸部に係合できる凹部が形成される。
【考案の効果】
【０００８】
従来の技術に比べると、本考案は以下の長所がある。前記導電端子の接触凸部は前記舌板の凹部に包囲されて係合されることにより、前記導電端子の対接端が前記舌板の凹部とされるために、相手コネクタが斜めに挿入される際、まず前記舌板に接触することで相手コネクタを挿入する作用力が分散され、導電端子に直ちに作用することで過度の撓みを防止でき、信号の安定した伝送が保証される。
【考案を実施するための最良の形態】
【０００９】
図１と図５は本考案の電気コネクタ１を示す。該電気コネクタ１は、絶縁本体１０と、該絶縁本体１０内に装着される複数の導電端子２０と、前記絶縁本体の外側を包囲するシールドケース３０とを含んでいる。本考案の主な目的は、相手コネクタ（図示せず）に対接する際に、繰り返し挿入をすることで前記導電端子２０が撓みで損壊することを防止でき、前記目的が絶縁本体１０と導電端子２０との所定の構造により実現される。本実施状態では、意図を示すだけのことで、簡略するために、中央の導電端子２０が絶縁本体１０に係合するだけを示す。
【００１０】
前記絶縁本体１０は、絶縁材料からなり、楕円柱を呈する基体１１を有し、複数の端子収容溝１１１が前記基体１１を貫通して水平に延伸する。中央の端子収容溝１１１に位置する箇所から前方に向けて、舌板１２が延伸して形成され、前記端子収容溝１１１が前記舌板１２の先端に延伸して至り、且つ、該端子収容溝１１１は前記舌板１２の上下壁面（記号なし）を垂直に貫通している。前記絶縁本体１０の下方には前記基体１１に連接しているサポート１３が設置され、該サポート１３が、平板状の台板１３１と、前記基体１１の下方から延出して前記台板１３１に一体に連接する連接板１３２とを備え、前記台板１３１が連接板１３２から前方に向けて前記舌板１２と同じ方向に向けて平行に延伸されている。
【００１１】
図１と図２に示すように、前記絶縁本体１０の基体１１の上表面（記号なし）に一対の矩形状を呈する固着溝１１２が形成される。後方から見ると、前記絶縁本体１０の端子収容溝１１１は、前記基体１１内に窪んで、且つ、上下方向に沿って前記舌板１２に貫通して、前記端子収容溝１１１の上方及び左右に複数の貫通口１１３が設置される。
【００１２】
前記サポート１３の台板１３１は、先端縁のほぼ中央で所定長さの切欠き部１３１１が貫通して形成され、該台板１３１の先端縁が前記切欠き部１３１１により、二つの部分（記号なし）に割られ、各部分の上表面には所定長さの陥凹部１３１５がそれぞれ形成され、下表面に定位柱１３１４がそれぞれ形成される。前記切欠き部１３１１の前端及び連接板１３２の後端に、本考案の電気コネクタ１を回路基板（図示せず）に実装する際に、前記回路基板に接触する踏み台１３１２がそれぞれ形成される。また、前記台板１３１の下表面の左右縁にスロット１３１３が設けられる。
【００１３】
前記複数の導電端子２０は、５本であって、ほぼＬ字形を呈した構造であり、相手コネクタの導電端子（図示せず）に接触する接触部２１と、該接触部２１から垂直に延伸している接続部２２とを含む。前記接触部２１と前記接続部２２との間に下方に向けて固着部２３が形成され、該固着部２３に前記絶縁本体１０の端子収容溝１１１に係合する複数の干渉刺２４を有する。前記５本のうちの中央端子である第三導電端子以外の導電端子の構造がほぼ同じであるが、側面から見ると、前記第三導電端子の接触凸部２１１が円弧状を呈し、それ以外の導電端子２０の接触部２１が直線を呈する。
【００１４】
前記シールドケース３０は、前記絶縁本体１０の外面を包囲し、金属板材からなり、楕円柱を呈している。該シールドケース３０は平行な上壁３１と下壁３２とを含み、前記上下壁３１、３２に形成される弾性片３０１が相手コネクタに係合でき、該シールドケース３０内に向けて延伸する曲り部３０１１が設けられる。前記上壁３１には前記絶縁本体１０の固着溝１１２に係合できる係合片３０２が設けられ、前記下壁３２に前記サポート１３の切欠き部１３１１に挟み込まれる固定脚３０５が延伸して形成される。前記下壁３２の後端に欠け口３０４が形成され、該欠け口３０４の左右縁（記号なし）には、下方に垂直に延伸されて三部分に割れる取付片３０３が形成され、三部分のうちの二つを回路基板（図示せず）に半田付けできる。
【００１５】
図５は、本考案の電気コネクタ１の中央端子である第三導電端子２０の中央に沿って切る断面図である。図５に示すように、前記舌板１２の末端は前端壁１２１であり、該前端壁１２１の後面には、前記中央の第三導電端子２０の円弧状を呈する接触凸部２１１を収容する円弧状の凹部１２１１が形成され、これらの構造によって、前記円弧状を呈する接触凸部２１１が前記凹部１２１１内に密に係合できる。
【００１６】
図３及び図４に示すように、取付ける際に、まず、前記導電端子２０の水平な接触部２１を前記絶縁本体１０の端子収容溝１１１内に後から挿入する。同時に、図５を参照して、前記端子収容溝１１１が前記舌板１２を垂直に貫通することで、該導電端子２０は上下表面が外界に現れる。前記端子収容溝１１１の先端の高さが導電端子２０の接触部２１の高さと同じで、前記絶縁本体１０の基体１１に導電端子２０の固着部２３に対応した階段部１１１１が形成され、これらによって、前記導電端子２０が前記端子収容溝１１１内に装着される際に、端子収容溝１１１内に密に貼り付けられる。
【００１７】
前記導電端子２０の固着部２３が前記絶縁本体１０の階段部１１１１に押し付けられて、複数の干渉刺２４が前記端子収容溝１１１内に干渉して係合することで、前記導電端子２０が前記端子収容溝１１１内に固着される。前記絶縁本体１０の基体１１は前記導電端子２０の接続部２２が貫通される箇所に後端面が形成され、導電端子２０の接続部２２が該後端面に押し付けられ、且つ固着部２４が前記階段部１１１１に押し付けられ、これらによって、導電端子２０は前方に向けての移動が制限される。
【００１８】
前記舌板１２の凹部１２１１が前記第三導電端子２０の接触凸部２１１に包囲して係合することにより、舌板１２と導電端子２０との可撓性が良好になるために、こうして、相手コネクタ（図示せず）が斜めに挿入される際、まず前記舌板１２の前端壁１２１に接触することで相手コネクタを挿入する作用力が分散され、導電端子２０に直ちに作用することで過度の撓みを防止でき、電気コネクタ１の導通の効果が保証され、さらに信号の安定した伝送が保証される。
【００１９】
しかも、導電端子２０が前記舌板１２の上下壁面を貫通する端子収容溝１１１に収容され、導電端子２０の上下表面が外界に現れることで、相手コネクタの対接端子と十分に接触できる。その他の導電端子２０が舌板１２の両側にそれぞれに位置して、平行に隔てられて延伸され、放熱に有効になる。
【００２０】
前記絶縁本体１０が前記シールドケース３０内に後から装着され、前記舌板１２がシールドケース３０内に向けられ、前記サポート１３が該シールドケース３０の下壁３２外に現れている。取付た時、前記固定脚３０５が前記サポート１３の切欠き部１３１１内に挟み込まれて、前記サポート１３の連接板１３２が前記下壁３２の欠け口３０４に止められる。該シールドケース３０の係合片３０２が前記固着溝１１２に係合され、同時に、前記三部分の取付片３０３のうちの一つが前記サポート１３の台板１３１の両側のスロット１３１３内に曲がって係合して、これらの互いの係合作用によって、前記シールドケース３０を前記絶縁本体１０にしっかりと固定することが可能になる。  
【００２１】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【図面の簡単な説明】
【００２２】
【図１】本考案の電気コネクタの分解斜視図である。
【図２】本考案の電気コネクタのほかの角度から見る分解斜視図である。
【図３】本考案の電気コネクタの組合斜視図である。
【図４】本考案の電気コネクタのほかの角度から見る組合斜視図である。
【図５】図３に示す電気コネクタのＡ−Ａ線で切断した断面図である。
【符号の説明】
【００２３】
１  電気コネクタ
１０絶縁本体
１１  基体
１２  舌板
１３  サポート
２０  導電端子
２１  接触部
２２  接続部
２３  固着部
２４  干渉刺
３０  シールドケース
３１  上壁
３２  下壁
１１１  端子収容溝
１１２  固着溝
１１３  貫通口
１３１  台板
１３２  連接板
２１１  接触凸部
３０１  弾性片
３０２  係合片
３０３  取付片
３０４  欠け口
３０５  固定脚
１１１１  階段部
１２１１  凹部
１３１１  切欠き部
１３１２  踏み台
１３１３  スロット
１３１４  定位柱
１３１５  陥凹部
３０１１  曲り部
【図１】
0003109493.tif 000003
【図２】
0003109493.tif 000004
【図３】
0003109493.tif 000005
【図４】
0003109493.tif 000006
【図５】
0003109493.tif 000007